(57)【要約】【課題】断熱性能に優れた断熱障子を提供する。【解決手段】この断熱障子は、障子枠１と、この障子枠１内に組み込んだ表裏一対の組子２Ａ、２Ｂと、表側の組子２Ａの表面及び裏側の組子２Ｂの裏面に夫々張り付けた透光性を有する障子紙３Ａ、３Ｂと、表側の組子２Ａと裏側の組子２Ｂとの間に介在させた透光性を有する面材４とを備え、表側の障子紙３Ａと前記面材４との間、裏側の障子紙３Ｂと前記面材４との間に、断熱用空気層５０、５１を夫々形成している。【選択図】図２
2011153415.tif 000002
【特許請求の範囲】
【請求項１】
障子枠（１）と、この障子枠（１）内に組み込んだ表裏一対の組子（２Ａ）（２Ｂ）と、表側の組子（２Ａ）の表面及び裏側の組子（２Ｂ）の裏面に夫々張り付けた透光性を有する障子紙（３Ａ）（３Ｂ）と、表側の組子（２Ａ）と裏側の組子（２Ｂ）との間に介在させた透光性を有する面材（４）とを備え、表側の障子紙（３Ａ）と前記面材（４）との間、裏側の障子紙（３Ｂ）と前記面材（４）との間に、断熱用空気層（５０）（５１）を夫々形成したことを特徴とする断熱障子。
【請求項２】
前記面材（４）は、複数のシート（４０）・・を、それらシート（４０）・・間に空気層（４２）・・を形成するように積層してなる請求項１記載の断熱障子。
【請求項３】
前記障子紙（３Ａ）（３Ｂ）及び前記面材（４）が、ともに非通気性である請求項１又は２記載の断熱障子。
【請求項４】
前記表裏一対の組子（２Ａ）（２Ｂ）は、前記障子枠（１）に内嵌する外周枠（２２）（２２）を夫々備え、これら組子（２Ａ）（２Ｂ）の外周枠（２２）（２２）によって前記面材（４）の周端部を挟持した請求項１乃至３のいずれかに記載の断熱障子。
【請求項５】
請求項１乃至４のいずれかに記載の断熱障子（Ｓ）（Ｓ）を備えていることを特徴とする建具。
【発明の詳細な説明】
【技術分野】
【０００１】
この発明は、例えば住宅屋内において内窓障子、間仕切り障子、明かり窓用障子、欄間障子等として使用される断熱障子及びこれを用いた建具に関する。
【背景技術】
【０００２】
従来より、障子枠内に組み込んだ組子の片面に、和紙等の障子紙を張り付けた障子が一般的に知られている。また、障子枠内に組み込んだ組子の表裏両面に、和紙等の障子紙を張り付けた太鼓張り障子も知られている。
【０００３】
この種の障子は、落ちつきのある和の雰囲気を演出するとともに、外部からの視線を遮りながら外光を柔らかく採り入れるといった特有の機能性を有していることから、住宅の各種建具において広く利用されている。
【０００４】
近年、住宅の高断熱化が進むにつれて、上記のような障子についても断熱性能の向上が求められている。例えば特許文献１には、太鼓張り障子の表側及び裏側にガラス板を配置した状態で、これら太鼓張り障子及びガラス板を方形枠内に組み付けることで、太鼓張り障子の障子紙間、太鼓張り障子と表側及び裏側のガラス板との間に、断熱用空気層を夫々形成した断熱障子が開示されている。
【先行技術文献】
【特許文献】
【０００５】
【特許文献１】実開昭６２−８２６８７号公報
【発明の概要】
【発明が解決しようとする課題】
【０００６】
しかしながら、特許文献１に開示された断熱障子においては、太鼓張り障子の表側及び裏側に断熱用空気層を確保しながらガラス板を配置しているので、厚みが増大して大型化するとともに、重量も重くなって、取り扱い難いといった不具合があった。しかも、障子紙がガラス板で覆われていて、ガラス板が表裏面に露出していることから、和の風合いを損なうとともに、障子紙の張替え作業等も面倒になるといった不具合もあった。
【０００７】
そこで、この発明は、上記不具合を解消して、複数の断熱用空気層を形成して断熱性能の向上を図りながらも、取り扱い易くて意匠性に優れ、障子紙の張替え作業等も容易に行うことができる断熱障子及びこれを用いた建具の提供を目的とする。
【課題を解決するための手段】
【０００８】
この発明の断熱障子Ｓは、障子枠１と、この障子枠１内に組み込んだ表裏一対の組子２Ａ、２Ｂと、表側の組子２Ａの表面及び裏側の組子２Ｂの裏面に夫々張り付けた透光性を有する障子紙３Ａ、３Ｂと、表側の組子２Ａと裏側の組子２Ｂとの間に介在させた透光性を有する面材４とを備え、表側の障子紙３Ａと前記面材４との間、裏側の障子紙３Ｂと前記面材４との間に、断熱用空気層５０、５１を夫々形成したことを特徴とする。
【０００９】
具体的に、前記面材４は、複数のシート４０・・を、それらシート４０・・間に空気層４２・・を形成するように積層してなる。また、前記障子紙３Ａ、３Ｂ及び前記面材４が、ともに非通気性である。
【００１０】
さらに、前記表裏一対の組子２Ａ、２Ｂは、前記障子枠１に内嵌する外周枠２２、２２を夫々備え、これら組子２Ａ、２Ｂの外周枠２２、２２によって前記面材４の周端部を挟持している。
【００１１】
また、この発明の建具は、上記の断熱障子Ｓ、Ｓを備えていることを特徴とする。
【発明の効果】
【００１２】
この発明の断熱障子においては、その内部に断熱用空気層が二重に確保されているので、従来のような一般的な障子や太鼓張り障子に比べて、断熱性能を格段に向上することができる。しかも、面材を介在させた組子に対して、障子紙を太鼓張りして、これらを障子枠内に収めたようなコンパクトな構造となっているので、従来の重厚な断熱障子と比べて薄型軽量化を図ることができ、取り扱い易い断熱障子とすることができる。さらに、障子紙が表裏面に露出して太鼓張り障子と同様の外観を呈しており、また障子紙及び面材は透光性を有しているので、落ちつきのある和の雰囲気を演出するとともに、外部からの視線を遮りながら外光を柔らかく採り入れるといった従来からの障子特有の機能性も維持することができる。さらにまた、障子紙の張替え作業等も容易に行うことができる。
【００１３】
また、面材において複数の空気層を形成することで、断熱用空気層と合わせて空気層が三重以上に確保されて、断熱性能をより一層高めることができる。さらに、非通気性の障子紙及び面材を使用することで、空気の流れを確実に遮断して、断熱性能をより一層高めることができる。さらにまた、面材の周端部を、表裏の組子の外周枠によって挟持することで、面材の捲れや位置ずれを生じ難くして、断熱性能を安定して維持することができる。
【図面の簡単な説明】
【００１４】
【図１】この発明の一実施形態に係る断熱障子の正面図である。
【図２】同じくその縦断面図である。
【図３】同じくその横断面図である。
【図４】障子枠内に組み込む組子、障子紙、面材の分解斜視図である。
【図５】組子の斜視図である。
【図６】面材の部分拡大断面図である。
【図７】断熱障子を備えた建具の正面図である。
【発明を実施するための形態】
【００１５】
以下、この発明の実施形態を図面に基づいて詳細に説明する。この発明の一実施形態に係る断熱障子Ｓは、例えば住宅屋内において内窓障子として用いられるものであって、図１乃至図４に示すように、方形状の障子枠１と、この障子枠１内に組み込んだ表裏一対の組子（障子骨）２Ａ、２Ｂと、表側の組子２Ａの表面及び裏側の組子２Ｂの裏面に夫々張り付けた透光性を有する障子紙３Ａ、３Ｂと、表側の組子２Ａと裏側の組子２Ｂとの間に介在させた透光性を有する面材４とを備えている。
【００１６】
障子枠１は、左右一対の縦框材１０、１０と、これら縦框材１０、１０の上端部間に差し渡された上框材１１と、縦框材１０、１０の下端部間に差し渡された下框材１２とからなる。なお、各框材１０、１０、１１、１２は、例えば木製の角材からなるが、金属製の中空材を用いても良い。
【００１７】
組子２Ａ、２Ｂは、図５に示すように、左右方向に等間隔をあけて配置した複数の縦組子材２０・・と、上下方向に等間隔をあけて配置した複数の横組子材２１・・とを格子状に組み付けてなり、左右端に位置する縦組子材２０、２０と、上下端に位置する横組子材２１、２１とによって、方形状の外周枠２２が構成されている。なお、各組子材２０、２１・・は、例えば木製の角材からなるが、金属製の角材を用いても良い。
【００１８】
これら組子２Ａ、２Ｂは、その外周枠２２、２２を障子枠１に内嵌させるようにして、障子枠１内に組み込まれている。
【００１９】
障子紙３Ａ、３Ｂは、例えば和紙に透明な合成樹脂製シートをラミネートしてなり、見た目が和紙でありながらも非通気性を有している。なお、障子紙３Ａ、３Ｂとしては、このような樹脂サンド和紙に限らず、単なる和紙やその他の透光性を有するシート材であっても良い。
【００２０】
これら障子紙３Ａ、３Ｂは、方形状に形成されていて、表側の障子紙３Ａは、表側の組子２Ａによって区画形成された空間２ａ・・の表面開口部を塞ぐようにして、表側の組子２Ａの表面に接着糊や両面テープを介して張り付けられ、裏側の障子紙３Ｂは、裏側の組子２Ｂによって区画形成された空間２ｂ・・の裏面開口部を塞ぐようにして、裏側の組子２Ｂの裏面に接着糊や両面テープを介して張り付けられている。
【００２１】
面材４は、図６に示すように、透明若しくは半透明な複数の合成樹脂製シート４０・・を、それらシート４０・・間に空気層４２・・を形成するようにして、透明若しくは半透明な複数の合成樹脂製スペーサ４１・・を介して一体的に積層してなり、非通気性を有している。
【００２２】
この面材４は、方形状に形成されていて、上述した空間２ａ・・の裏面開口部及び空間２ｂ・・の表面開口部を塞ぐようにして、表側の組子２Ａと裏側の組子２Ｂとによって挟まれた状態で配されている。特に、面材４の周端部が、その全周に亘って表側の組子２Ａの外周枠２２と裏側の組子２Ｂの外周枠２２とによって挟持されているので、面材４の捲れや位置ずれが生じ難くなっている。
【００２３】
そして、この断熱障子Ｓには、表側の障子紙３Ａと面材４との間に、閉塞された複数の空間２ａ・・からなる表側の断熱用空気層５０が形成され、裏側の障子紙３Ｂと面材４との間に、閉塞された複数の空間２ｂ・・からなる裏側の断熱用空気層５１が形成されている。
【００２４】
上記構成の断熱障子Ｓにおいては、その内部に断熱用空気層５０、５１が二重に確保されていて、さらに断熱用空気層５０、５１の間の面材４においても複数の空気層４２・・が確保されているので、従来のような一般的な障子や太鼓張り障子に比べて、断熱性能を格段に向上することができる。しかも、非通気性の障子紙３Ａ、３Ｂ及び面材４を使用しているので、空気の流れを確実に遮断して、断熱性能をより一層高めることができる。
【００２５】
また、面材４を介在させた組子２Ａ、２Ｂに対して、障子紙３Ａ、３Ｂを太鼓張りして、これらを障子枠１内に収めたようなコンパクトな構造となっているので、従来の重厚な断熱障子と比べて薄型軽量化を図ることができ、取り扱い易い断熱障子Ｓとすることができる。
【００２６】
さらに、障子紙３Ａ、３Ｂが表裏面に露出して太鼓張り障子と同様の外観を呈しており、また障子紙３Ａ、３Ｂ及び面材４は透光性を有しているので、落ちつきのある和の雰囲気を演出するとともに、外部からの視線を遮りながら外光を柔らかく採り入れるといった従来からの障子特有の機能性も維持することができる。さらにまた、障子紙３Ａ、３Ｂの張替え作業等も支障なく行うことができる。
【００２７】
図７は、上記の断熱障子Ｓ、Ｓを備えた建具の一例を示しており、この建具は、サッシ前の内窓を構成するもので、断熱障子Ｓ、Ｓが引き違い可能な状態で窓枠６０内に取り付けられている。
【００２８】
この発明は、上記実施形態に限定されるものではなく、この発明の範囲内で上記実施形態に多くの修正及び変更を加え得ることは勿論である。例えば、この発明の断熱障子は、内窓障子だけでなく、間仕切り障子や明かり窓用障子、欄間障子等として用いるようにしても良い。また、上記実施形態における断熱障子は、その外形が縦長の長方形状になっていたが、例えば横長の長方形状、正方形状、円形状等のような形状であっても良い。さらに、組子の形状も格子状に限定されず、少なくとも面材と障子紙との間に断熱用空気層を確保することができれば、どのような形状であっても良い。さらにまた、面材としては、内部に空気層を有するものだけに限らず、空気層を有しないものであっても良い。
【符号の説明】
【００２９】
Ｓ・・断熱障子、１・・障子枠、２Ａ、２Ｂ・・組子、３Ａ、３Ｂ・・障子紙、４・・面材、２２・・外周枠、４０・・シート、４２・・空気層、５０、５１・・断熱用空気層
【図１】
2011153415.tif 000003
【図２】
2011153415.tif 000004
【図３】
2011153415.tif 000005
【図４】
2011153415.tif 000006
【図５】
2011153415.tif 000007
【図６】
2011153415.tif 000008
【図７】
2011153415.tif 000009